(57)【要約】【課題】農業用ハウスのシート開閉作業の労力軽減を図る上で、コストの増加を招かず、シートの破損が生じそうな場合に対しての迅速な対処も可能にする。【解決手段】回転力伝達装置４の入力軸に対して、ハンドル７ではなくソケット型アタッチメント１０を取り付けておき、電動式ハンドドリル２０に角ボール付きソケット３０を装着し、この角ボール付ソケット３０をアタッチメント１０に嵌合させた状態で電動式ハンドドリル２０を駆動してシートの巻き上げ・巻き下ろしを実行する。【選択図】  図１
0003155373.tif 000002
【実用新案登録請求の範囲】
【請求項１】
農業用ハウスに用いられるフィルムシート、遮光シート、カーテン等のシート部材を、換気その他の目的で巻き取り開閉するためのシート開閉装置であって、以下の構成を備えていることを特徴とする農業用ハウスのシート開閉装置。
（１）前記シート部材を巻き取るための巻き取り軸を回転させるための回転力入力軸に対して回り止め状態で固定されるソケット型アタッチメントと、
（２）電動式回転工具と、
（３）前記ソケット型アタッチメントに嵌合する頭部を有し、前記電動式回転工具のチャック部に取り付けることのできるソケットと
によって構成されていること。
【請求項２】
前記ソケット型アタッチメントが、さらに、以下の構成を備えていることを特徴とする請求項１記載の農業用ハウスのシート開閉装置。
（１−１）前記ソケット型アタッチメントが、前記回転力入力軸を挿入可能な大径円孔部と、前記ソケットを嵌合可能な嵌合孔部と、これら大径円孔部と嵌合孔部とを連結する細径孔部とを中心軸上に備えた筒体で構成されていること。
（１−２）前記ソケット型アタッチメントの前記大径円孔部側の筒壁には、対面する２個の筒壁貫通孔と、同じく対面する２個のボス付ネジ孔とが形成されていること。
【請求項３】
前記ソケット型アタッチメント及び前記ソケットが、さらに、以下の構成を備えていることを特徴とする請求項２記載の農業用ハウスのシート開閉装置。
（２−１）前記ソケットとして、頭部が角柱形状で嵌合ボール３１が埋め込まれた角ボール付ソケットを用いること。
（１−３）前記ソケット型アタッチメントの前記嵌合孔部は、前記角ボール付ソケットの頭部に嵌合する角孔部として形成され、該角孔部の四つの内壁面のそれぞれには、前記角ボール付ソケットの嵌合ボールと嵌合する寸法・形状の球面孔が一つずつ形成されていること。
【考案の詳細な説明】
【技術分野】
【０００１】
本考案は、農業用ハウスの屋根、側面、妻面等のフィルムシート、遮光シート、カーテン等のシート部材を、換気その他の目的で巻き取り開閉するためのシート開閉装置に関する。
【背景技術】
【０００２】
農業用ハウスにおいては、換気、温度調整、遮光等のために、屋根シート・側面シート・妻面シートの開閉、谷換気のためのシートの開閉、ハウス内のカーテンの開閉、遮光シートの開閉等が必要である（図８（Ｂ），図１０（Ｅ）参照）。
【０００３】
このため、従来より、こうしたシート等の開閉を行うための機構が種々提案されている（例えば、特許文献１〜１０）。
【先行技術文献】
【特許文献】
【０００４】
【特許文献１】実公平７−３５５５３号公報（図１，図２）
【特許文献２】特開２００２−１７４３２０号公報（図６，図９，図１２）
【特許文献３】特開２００２−１０１７６７号公報（図３，図４，図５）
【特許文献４】特許第３７５２６１７号公報（図３）
【特許文献５】特開２００５−１９２４１０号公報（図１，図２）
【特許文献６】特許第２７７２９４４号公報（図１）
【特許文献７】特許第３７９４５９５号公報（図１）
【特許文献８】特許第３９２７０９９号公報（図３，図４）
【特許文献９】特開２００２−３０５９９０号公報（図４）
【特許文献１０】特許第４２７８４５４号公報（図１，図１０）
【考案の概要】
【考案が解決しようとする課題】
【０００５】
特許文献１〜５は、手動でハンドルを回してシートの開閉を行うものであり、特許文献３は回転アームを長くし、特許文献４，５は左手用の取っ手を付けるなどして手動による開閉操作をやり易くする工夫がなされているが、多数のシートの開閉を手動で行う作業は時間と労力が大きいという問題がある。
【０００６】
特許文献６〜１０は、モータ駆動によってシートの開閉等を行う点で、手動による作業者の肉体的労力を軽減することができるものとなっている。また、モータ駆動には、遠隔操作による一斉開閉等も可能になるという利点もある。
【０００７】
しかしながら、一斉開閉においては、屋外設備である農業用ハウスの特性として、そのときの風の影響やその他様々な条件により、シートが引っ掛かるなどして損傷を起こす問題がある。また、多数の開閉箇所毎にモータを設置するためのコストも多大なものになるという問題もある。
【０００８】
本考案は、農業用ハウスにおいてシートを開閉する作業における労力軽減を図る上で、コストの大幅な増加を招かず、かつ、シートの破損が生じそうな場合に対しての迅速な対処も可能な道具を提供することを目的とする。
【課題を解決するための手段】
【０００９】
上記目的を達成するためになされた本考案の農業用ハウスのシート開閉装置は、農業用ハウスに用いられるフィルムシート、遮光シート、カーテン等のシート部材を、換気その他の目的で巻き取り開閉するためのシート開閉装置であって、以下の構成を備えていることを特徴とする。
（１）前記シート部材を巻き取るための巻き取り軸を回転させるための回転力入力軸に対して回り止め状態で固定されるソケット型アタッチメントと、
（２）電動式回転工具と、
（３）前記ソケット型アタッチメントに嵌合する頭部を有し、前記電動式回転工具のチャック部に取り付けることのできるソケットと
によって構成されていること。
【００１０】
本考案の農業用ハウスのシート開閉装置によれば、ソケット型アタッチメントを回転力入力軸に回り止め固定しておき、電動式回転工具のチャック部に取り付けたソケットを嵌合させて電動式回転工具の回転力を利用してシートの巻き上げ、巻き下ろしを行う。この作業は、一つ一つのシート毎に実行するので、巻き上げ、巻き下ろしの途中でシートが引っ掛かったりしたときは、直ちに操作を止めてシートの損傷を防止することができる。その一方、巻き上げ、巻き下ろしは人力ではなく、電動式回転工具の動力を利用するので、作業者の体力的な負担を軽減することができる。また、各シート巻き上げ箇所の回転力入力軸に対して、予め取り付けておくのはソケット型アタッチメントだけでよいから、コスト増加も抑えることができる。
【００１１】
ここで、前記ソケット型アタッチメントが、さらに、以下の構成を備えてるものとするとよい。
（１−１）前記ソケット型アタッチメントが、前記回転力入力軸を挿入可能な大径円孔部と、前記ソケットを嵌合可能な嵌合孔部と、これら大径円孔部と嵌合孔部とを連結する細径孔部とを中心軸上に備えた筒体で構成されていること。
（１−２）前記ソケット型アタッチメントの前記大径円孔部側の筒壁には、対面する２個の筒壁貫通孔と、同じく対面する２個のボス付ネジ孔とが形成されていること。
【００１２】
回転力入力軸に予め貫通孔がある場合は、当該貫通孔と筒壁貫通孔を一致させて六角長ボルトの様な長い締結具を用いて回り止め固定をすることができ、その様な貫通孔がない場合は、対面する２個のボス付ネジ孔のそれぞれにボルトをねじ込み、ボルト先端で回転力入力軸を強く挟み付けることによって回り止め固定を行うことができ、どの様なタイプの軸にも取り付けることができる。
【００１３】
ここで、前記ソケット型アタッチメント及び前記ソケットが、さらに、以下の構成を備えるものとするとよい。
（２−１）前記ソケットとして、頭部が角柱形状で嵌合ボール３１が埋め込まれた角ボール付ソケットを用いること。
（１−３）前記ソケット型アタッチメントの前記嵌合孔部は、前記角ボール付ソケットの頭部に嵌合する角孔部として形成され、該角孔部の四つの内壁面のそれぞれには、前記角ボール付ソケットの嵌合ボールと嵌合する寸法・形状の球面孔が一つずつ形成されていること。
【００１４】
ソケットとして（２−１）の構成のものを用い、ソケット型アタッチメントの嵌合孔部として（１−３）の構成のものを採用することにより、ソケットとアタッチメントの脱着が容易であり、次々とシートの巻き上げ、巻き下ろしを行う際の作業性をさらに向上させることができる。
【考案の効果】
【００１５】
本考案によれば、農業用ハウスにおいてシートを開閉する作業における労力軽減を図る上で、コストの大幅な増加を招かず、かつ、シートの破損が生じそうな場合に対しての迅速な対処も可能となる。
【図面の簡単な説明】
【００１６】
【図１】農業用ハウスのシート開閉装置を示し、（Ａ）は前提技術の斜視図、（Ｂ）は実施例１の斜視図である。
【図２】実施例１の各機器を示した斜視図である。
【図３】実施例１におけるアタッチメントを示す斜視図である。
【図４】実施例１におけるアタッチメントを示し、（Ａ）は正面図、（Ｂ）は平面図、（Ｃ）は背面図、（Ｄ）は左側面図、（Ｅ）は右側面図である。
【図５】実施例１におけるアタッチメントを示すａ−ａ断面図である。
【図６】実施例におけるアタッチメント、ソケットの取り付け状態を例示する斜視図である。
【図７】実施例における取り扱い説明のための説明図である。
【図８】従来技術の説明図である。
【図９】従来技術の説明図である。
【図１０】従来技術の説明図である。
【考案を実施するための形態】
【００１７】
以下に、本考案の農業用ハウスのシート開閉装置の実施形態を実施例に基づいて説明する。
【実施例１】
【００１８】
まず、前提技術から説明する。図１（Ａ）に示す様に、農業用ハウス１の側面シート２は、これを巻き上げるために設置された巻取り軸３に下端を固定されている。そしてこの巻取り軸３の一端が回転力伝達装置４の出力軸５と接続されている。この回転力伝達装置４は、ガイドパイプ６によって上下方向の移動をガイドされている。そして、一般的には、この回転力伝達装置４の入力軸に手動回転用のハンドル７が取り付けられている。
【００１９】
本実施例は、図１（Ｂ）に示す様に、回転力伝達装置４の入力軸に対して、ハンドル７ではなくソケット型アタッチメント１０を取り付けておき、電動式ハンドドリル２０に角ボール付きソケット３０を装着し、この角ボール付ソケット３０をアタッチメント１０に嵌合させた状態で電動式ハンドドリル２０を駆動してシートの巻き上げ・巻き下ろしを実行する。
【００２０】
ソケット型アタッチメント１０は、図２〜図５に示す様に、回転力伝達装置４の入力軸を挿入可能な大径円孔部１１と、角ボール付きソケット３０を嵌合可能な角孔部１２と、これら大径円孔部１１と角孔部１２とを連結する細径円孔部１３とを中心軸上に備えた筒体１４で構成されている。
【００２１】
大径円孔部１１側の筒壁には、２個の筒壁貫通孔１５ａ，１５ｂと２個のボス付ネジ孔１６ａ，１６ｂが形成されている。２個の筒壁貫通孔１５ａ，１５ｂは互いに対面する位置に形成された円形孔によって構成されている。２個のボス付ネジ孔１６ａ，１６ｂも互いに対面する位置にあり、内面にネジ溝が形成されたネジ孔として形成されている。
【００２２】
角孔部１２の四つの内壁面のそれぞれには、角ボール付ソケット３０の嵌合ボール３１と嵌合する寸法・形状の球面孔１７が一つずつ形成されている。なお、図３〜図５において、符号１８は製品番号等の記入部、符号１９は鋳造時の湯道部である。
【００２３】
このソケット型アタッチメント１０は、回転力伝達装置４の入力軸に貫通孔が形成されているときは、当該貫通孔とアタッチメント側の筒壁貫通孔１５ａ，１５ｂとが一直線になる様にアタッチメント１０を装着し、六角長ボルト４１と六角ナット４２を用いて廻り止め固定を行う。一方、入力軸に貫通孔がないときは、ボス付ネジ孔１６ａ，１６ｂのそれぞれに、ワッシャ４４，４５を介してボルト４３をねじ込み、このボルト４３の先端を回転力伝達装置４の入力軸の表面に当接させることにより、しっかりと回り止め固定する。なお、入力軸に貫通孔があるときにボス付ネジ孔１６ａ，１６ｂに対するボルト４３，４３による締め付けも行う様にして構わない。
【００２４】
電動式ハンドドリル２０としては、市販の電動工具を用いることができる。但し、インパクトレンチは用いない。この電動式ハンドドリル２０に対して、角ボール付きソケット３０をそのシャンク部３２をしっかりとチャッキングさせて取り付ける。
【００２５】
図６は、各種の巻き上げ装置に対してアタッチメント１０を取り付けた状態を示す。
【００２６】
図６（Ａ）は、谷換気シートの開閉用のロッド５１の先端にアタッチメント１０を取り付けた状態を示している。当該ロッド５１には貫通孔が形成されていないので、ボス付ネジ孔１６ａ，１６ｂから六角ボルト４３，４３をねじ込んでボルト先端をしっかりとロッド５１の表面に食い込ませるぐらいに締め上げてアタッチメント１０を固定している。
【００２７】
図６（Ｂ）は、実施例として説明したタイプの回転力伝達装置５２の入力軸にアタッチメント１０を固定した状態を示している。同じく、図６（Ｃ）は、他のタイプの回転力伝達装置５３の入力軸にアタッチメント１０を固定した状態を示している。これらも、ボス付ネジ孔１６ａ，１６ｂからボルト４３，４３をねじ込んで締め付ける力によって固定した状態となっている。
【００２８】
なお、図６（Ｄ）に示す様に、高ギヤ比用のギヤボックス５４を用いたシート開閉装置では、入力軸５５に貫通孔５６を形成しておき、この貫通孔５６に対して六角長ボルト４１と六角ナット４２を用いた廻り止めも施すことにより、高ギヤ比であってもアタッチメント１０がずれることのない様に取り付け可能となる。
【００２９】
開閉装置がどのようなタイプであったとしても、アタッチメント１０は共通に使用することができる。なお、図６（Ｅ）に示す様に、電動式ハンドドリル２０のチャック２１には、角ボール付ソケット３０をしっかりとチャックして用いる。
【００３０】
最後に、電動式ハンドドリル２０の使用方法における留意点を、図７に従って説明する。
【００３１】
（Ａ）電動式ハンドドリル２０を用意する。
（Ｂ）グリップ横にある回転数切替スイッチ２２を操作してセーブモードに設定する。
（Ｃ）本体上部のクラッチダイヤル２３でクラッチ選択を行うと共に、シフトスイッチ２４をＬＯＷにセットする。
（Ｄ）本体にサイドハンドル２５を取り付ける。
（Ｅ）角ボール付ソケット３０をキーレルチャック２１へ差し込み、矢印の方向へ回してしっかりと締める。
（Ｆ）セット完了後、もう一度、各スイッチや固定を確認する。
（Ｇ）巻上げ装置やパイプについているアタッチメント１０の奥まで、ソケット３０を差し込む。
（Ｈ）ドリル２０を動作させ巻上げ、巻き下げを行う。この際、巻上げの状況を見ながら上げ下げする。
【００３２】
以上、本考案の一実施例について説明したが、本考案はこの実施例に限られるものではなく、その要旨を逸脱しない範囲内においてさらに種々の形態を採用することができることはもちろんである。
【産業上の利用可能性】
【００３３】
農業用ハウスの屋根シート、側面シート、妻面シート、谷換気シート、屋根上の遮光シート、ハウス内のカーテン等の巻き上げ、巻き下ろしに利用することができる。
【符号の説明】
【００３４】
１・・・農業用ハウス
２・・・側面シート
３・・・巻取り軸
４・・・回転力伝達装置
５・・・出力軸
６・・・ガイドパイプ
７・・・ハンドル
１０・・・ソケット型アタッチメント
１１・・・大径円孔部
１２・・・角孔部
１３・・・細径円孔部
１４・・・筒体
１５ａ，１５ｂ・・・筒壁貫通孔
１６ａ，１６ｂ・・・ボス付ネジ孔
１７・・・球面孔
１８・・・製品番号等の記入部
１９・・・鋳造時の湯道部
２０・・・電動式ハンドドリル
２１・・・キーレルチャック
２２・・・回転数切替スイッチ
２３・・・クラッチダイヤル
２４・・・シフトスイッチ
２５・・・サイドハンドル
３０・・・角ボール付ソケット
３１・・・嵌合ボール
３２・・・シャンク部
４１・・・六角長ボルト
４２・・・六角ナット
４３・・・ボルト
４４，４５・・・ワッシャ
５１・・・谷換気シートの開閉用のロッド
５２・・・実施例として説明したタイプの回転力伝達装置
５３・・・他のタイプの回転力伝達装置
５４・・・高ギヤ比用のギヤボックス
５５・・・入力軸
５６・・・貫通孔
【図１】
0003155373.tif 000003
【図２】
0003155373.tif 000004
【図３】
0003155373.tif 000005
【図４】
0003155373.tif 000006
【図５】
0003155373.tif 000007
【図６】
0003155373.tif 000008
【図７】
0003155373.tif 000009
【図８】
0003155373.tif 000010
【図９】
0003155373.tif 000011
【図１０】
0003155373.tif 000012